(57)【要約】【課題】内部点検作業を容易に行うことができるようにする。【解決手段】変圧器タンク１内の絶縁油２に変圧器本体３を浸漬して変圧器タンク１の上部をタンクカバー５で密封し、少なくとも一部が絶縁油２中に沈むガスタンク７を変圧器本体３の上部の変圧器タンク１内に配置して、変圧器タンク１内の絶縁油２の上面とガスタンク７とを連通し、変圧器タンク１内の絶縁油２の上面及びガスタンク７に窒素ガス１１を封入して、絶縁油２の膨張及び収縮による変圧器タンク１内の圧力変動を吸収するようにした窒素封入式油入変圧器において、タンクカバー５に設けられた点検窓６をガスタンク７で閉塞するようにしたものである。【選択図】        図１
2004153207.tif 000002
【特許請求の範囲】
【請求項１】
変圧器タンク内の絶縁油に変圧器本体を浸漬して上記変圧器タンクの上部をタンクカバーで密封し、少なくとも一部が上記絶縁油中に沈むガスタンクを上記変圧器本体の上部の上記変圧器タンク内に配置して、上記変圧器タンク内の上記絶縁油の上面と上記ガスタンクとを連通し、上記変圧器タンク内の上記絶縁油の上面及び上記ガスタンクに窒素ガスを封入して、上記絶縁油の膨張及び収縮による上記変圧器タンク内の圧力変動を吸収するようにした窒素封入式油入変圧器において、上記タンクカバーに設けられた点検窓を上記ガスタンクで閉塞するようにしたことを特徴とする窒素封入式油入変圧器。
【請求項２】
変圧器タンク内の絶縁油に変圧器本体を浸漬して上記変圧器タンクの上部をタンクカバーで密封し、少なくとも一部が上記絶縁油中に沈むガスタンクを上記変圧器本体の上部の上記変圧器タンク内に配置して、上記変圧器タンク内の上記絶縁油の上面と上記ガスタンクとを連通し、上記変圧器タンク内の上記絶縁油の上面及び上記ガスタンクに窒素ガスを封入して、上記絶縁油の膨張及び収縮による上記変圧器タンク内の圧力変動を吸収するようにした窒素封入式油入変圧器において、上記変圧器タンクの側面に設けられた点検窓を上記ガスタンクで閉塞するようにしたことを特徴とする窒素封入式油入変圧器。
【発明の詳細な説明】
【０００１】
【発明の属する技術分野】
この発明は、窒素ガスが封入された窒素封入式油入変圧器に関するものである。
【０００２】
【従来の技術】
従来の窒素封入式油入変圧器は、変圧器タンク内の絶縁油に変圧器本体を浸漬して変圧器タンクの上部がタンクカバーで密封されている。そして、変圧器本体の上部に配置されて少なくとも一部が絶縁油中に沈むガスタンクがタンクカバーに固着され、ガスタンクと変圧器タンク内の絶縁油の上面とが連通されている。さらに、ガスタンク及び変圧器タンク内の絶縁油の上面に窒素ガスが封入されている。このように窒素ガスを封入することにより絶縁油の膨張及び収縮による変圧器タンク内の圧力変動を吸収するように構成されている（例えば、特許文献１参照）。
【０００３】
【特許文献１】
実開昭５９−２１２０号公報（第４頁、第４図）
【０００４】
【発明が解決しようとする課題】
従来の窒素封入式油入変圧器は、小容量の場合にはボルト締めによりタンクカバーが変圧器タンクに固着されているので、変圧器タンクの内部点検時には変圧器タンクの側面に設けたハンドホール等の点検窓からブッシングの接続リードを切り離した後、タンクカバー上に取り付けられたブッシングや保護装置等と共にガスタンクを吊り上げる必要があるため、解体及び復旧作業が面倒であるという問題点があった。
又、中容量以上の場合には密封性能を維持するために、タンクカバーは変圧器タンクに溶接されるのが一般的である。従って、内部点検時にはタンクカバーに設けたマンホール等の点検窓から変圧器タンク内へ入るので、タンクカバーに固着されたガスタンクが邪魔になり作業が困難であるという問題点があった。
【０００５】
この発明は、以上のような課題を解決するためになされたもので、内部点検作業を容易に行うことができる窒素封入式油入変圧器を提供することを目的としたものである。
【０００６】
【課題を解決するための手段】
この発明に係わる窒素封入式油入変圧器は、変圧器タンク内の絶縁油に変圧器本体を浸漬して変圧器タンクの上部をタンクカバーで密封し、少なくとも一部が絶縁油中に沈むガスタンクを変圧器本体の上部の変圧器タンク内に配置して、変圧器タンク内の絶縁油の上面とガスタンクとを連通し、変圧器タンク内の絶縁油の上面及びガスタンクに窒素ガスを封入して、絶縁油の膨張及び収縮による変圧器タンク内の圧力変動を吸収するようにした窒素封入式油入変圧器において、タンクカバーに設けられた点検窓をガスタンクで閉塞するようにしたものである。
【０００７】
実施の形態１．
図１は、この発明の実施の形態１における窒素封入式油入変圧器の構成を示す断面図である。図１において、変圧器タンク１内の絶縁油２に変圧器本体３が浸漬されている。変圧器タンク１の周囲には放熱器４が取り付けられ、変圧器タンク１の側面の上部及び下部で連通されて絶縁油２が循環可能である。そして、変圧器タンク１の上部をタンクカバー５で密封する。このタンクカバー５には点検時に作業員が出入りするマンホール又は手作業するハンドホール等の点検窓６が設けられている。さらに、変圧器本体３の上部の変圧器タンク１内に配置され、少なくとも一部が絶縁油２中に沈むガスタンク７により、ガスケット８を介して点検窓６が閉塞されている。変圧器タンク１内の絶縁油２の上面とガスタンク７とが連通管９でフランジ１０を介して連通され、絶縁油２の上面及びガスタンク７に窒素ガス１１が封入されている。
【０００８】
このように構成された窒素封入式油入変圧器においては、絶縁油２の温度変動に伴う絶縁油２の膨張又は収縮による変圧器タンク１内の圧力変動を窒素ガス１１が吸収する。
さらに、内部点検作業時には、絶縁油２及び窒素ガス１１を抜き取った後、フランジ１０で分離してガスタンク７をタンクカバー５から取り外す。
以上のように、タンクカバー５に設けられた点検窓６をガスタンク７で閉塞することにより、ガスタンク７を取り外すだけで点検窓６を開口させると共に作業領域を確保できるので、内部点検作業を容易に行うことができる。
【０００９】
実施の形態２．
図２は、この発明の実施の形態２における窒素封入式油入変圧器の構成を示す断面図である。図２において、側面の上部にマンホール又はハンドホール等の点検窓１２が設けられた変圧器タンク１３内の絶縁油１４に変圧器本体１５が浸漬されている。そして、変圧器本体１５の上部の変圧器タンク１３内に配置され、絶縁油１４中に沈むガスタンク１６により、ガスケット１７を介して点検窓１２が閉塞されている。変圧器タンク１３の周囲には放熱器１８が取り付けられ、変圧器タンク１３の側面の上部及び下部で連通されて絶縁油１４が循環可能である。変圧器タンク１３の上部はタンクカバー１８で密封されて、変圧器タンク１３内の絶縁油１４の上面とガスタンク１６とが連通管１９でフランジ２０を介して連通されている。そして、絶縁油１４の上面及びガスタンク１６に窒素ガス２１が封入されている。
【００１０】
このように構成された窒素封入式油入変圧器においては、絶縁油１４の温度変動に伴う絶縁油１４の膨張又は収縮による変圧器タンク１３の内の圧力変動を窒素ガス２１が吸収する。
さらに、内部点検作業時には、絶縁油１４及び窒素ガス２１を抜き取った後、フランジ２０で分離してガスタンク１６を変圧器タンク１３から取り外す。
以上のように、変圧器タンク１３の側面に設けられた点検窓１２をガスタンク１６で閉塞することにより、ガスタンク１６を取り外すだけで点検窓１２を開口させると共に作業領域を確保できるので、内部点検作業を容易に行うことができる。
実施の形態２において、ガスタンク１６全体を絶縁油１４中に沈めたものについて説明したが、一部が絶縁油１４の上面に露出するように配置しても同様の効果を期待することができる。
【００１１】
【発明の効果】
この発明によれば、タンクカバーに設けられた点検窓をガスタンクで閉塞することにより、ガスタンクを取り外すだけで点検窓を開口させると共に作業領域を確保できるので、内部点検作業を容易に行うことができる。
【図面の簡単な説明】
【図１】この発明の実施の形態１の構成を示す断面図である。
【図２】この発明の実施の形態２の構成を示す断面図である。
【符号の説明】
１，１３  変圧器タンク、２，１４  絶縁油、３，１５  変圧器本体、
５，１８  タンクカバー、６，１２  点検窓、７，１６  ガスタンク、
１１，２１  窒素ガス。
【図１】
2004153207.tif 000003
【図２】
2004153207.tif 000004